(57)【要約】【課題】開封時に袋を大きく開口させて三角形状食品を容易に取り出すことが可能な三角形状食品包装体を提供する。【解決手段】上部より下部が拡幅した形状の表フィルム１と裏フィルム２からなる袋３に三角形状食品４を収容した三角形状食品包装体であって、袋３は、上部に表フィルム１と裏フィルム２とのヒートシール部５を有するとともに、左右の縁部に表フィルム１と裏フィルム２との溶断シール部を有するものとし、表フィルム１が三角形状食品４の斜面４ａを覆うようにしており、開封時に表フィルム１の上端部１ａを引っ張ると、ヒートシール部５の表フィルム１と裏フィルム２が剥離し、左右の溶断シール部が下方に向かって引き裂かれるようにしている。【選択図】図３
2010120652.tif 000002
【特許請求の範囲】
【請求項１】
上部より下部が拡幅した形状の表フィルム（１）と裏フィルム（２）からなる袋（３）に三角形状食品（４）を収容した三角形状食品包装体であって、袋（３）は、上部に表フィルム（１）と裏フィルム（２）とのヒートシール部（５）を有するとともに、左右の縁部に表フィルム（１）と裏フィルム（２）との溶断シール部（６）（７）を有するものとし、表フィルム（１）が三角形状食品（４）の１つの面（４ａ）全体を覆うようにしており、開封時に表フィルム（１）の上端部（１ａ）を引っ張ると、ヒートシール部（５）の表フィルム（１）と裏フィルム（２）が剥離し、左右の溶断シール部（６）（７）が下方に向かって引き裂かれるようにしていることを特徴とする三角形状食品包装体。
【請求項２】
ヒートシール部（５）が、波型状に形成されたものである請求項１記載の三角形状食品包装体。
【請求項３】
ヒートシール部（５）が、幅方向の略中央に頂部が位置する山型状に形成されたものである請求項１記載の三角形状食品包装体。
【発明の詳細な説明】
【技術分野】
【０００１】
この発明は、サンドイッチ等の三角形状食品を包装した包装体に関するものである。
【背景技術】
【０００２】
従来、サンドイッチ等を収容した食品包装体としては、特許文献１の図７等に記載のようなものがある。
【０００３】
この従来の食品包装体は、表フィルムと裏フィルムを接合してなる袋にサンドイッチを収容したものであり、表フィルム２と裏フィルム３の一端側のシール部５から延設された突出片６に摘み片１１が設けられており、摘み片１１を引っ張ると表フィルム２が開裂され、サンドイッチを取り出せるようになっている。
【０００４】
しかし、前記包装体の摘み片１１によって引き裂かれるフィルムは、図示されているように比較的細い帯状であるため、袋が大きく開口せず、サンドイッチの取り出しに手間がかかっていた。
【特許文献１】実公平７−５２０２５号公報
【発明の開示】
【発明が解決しようとする課題】
【０００５】
そこで、この発明は、開封時に袋を大きく開口させて三角形状食品を容易に取り出すことが可能な三角形状食品包装体を提供することを課題とする。
【課題を解決するための手段】
【０００６】
前記課題を解決するため、この発明は次のような技術的手段を講じている。
【０００７】
この発明の三角形状食品包装体は、上部より下部が拡幅した形状の表フィルム１と裏フィルム２からなる袋３に三角形状食品４を収容した三角形状食品包装体であって、袋３は、上部に表フィルム１と裏フィルム２とのヒートシール部５を有するとともに、左右の縁部に表フィルム１と裏フィルム２との溶断シール部６，７を有するものとし、表フィルム１が三角形状食品４の１つの面４ａ全体を覆うようにしており、開封時に表フィルム１の上端部１ａを引っ張ると、ヒートシール部５の表フィルム１と裏フィルム２が剥離し、左右の溶断シール部６，７が下方に向かって引き裂かれるようにしている。
【０００８】
さらに、ヒートシール部５が、波型状に形成されたものとすることができる。
【０００９】
また、ヒートシール部５が、幅方向の略中央に頂部が位置する山型状に形成されたものとすることもできる。
【発明の効果】
【００１０】
この発明の三角形状食品包装体は、上述のような構成を有しており、表フィルム１と裏フィルム２が左右の溶断シール部６，７で引き裂かれると、表フィルム１で覆われていた三角形状食品４の面４ａの左右の幅より大きく開口するので、三角形状食品４を容易に取り出すことができる。
【発明を実施するための最良の形態】
【００１１】
以下、この発明の好適な実施形態を、図面を参照して説明する。
【００１２】
図１は、この発明の実施形態の三角形状食品包装体の袋３の説明図、図２は三角形状食品包装体の斜視図、図３は三角形状食品包装体を開封する様子を示す斜視図である。
【００１３】
この三角形状食品包装体は、上部より下部が拡幅した形状の表フィルム１と裏フィルム２からなる袋３に三角形状食品４を収容した三角形状食品包装体であって、袋３は、上部に表フィルム１と裏フィルム２とのヒートシール部５を有するとともに、左右の縁部に表フィルム１と裏フィルム２との溶断シール部６，７を有するものとし、表フィルム１が三角形状食品４の１つの面４ａ全体を覆うようにしており、開封時に表フィルム１の上端部１ａを引っ張ると、ヒートシール部５の表フィルム１と裏フィルム２が剥離し、左右の溶断シール部６，７が下方に向かって引き裂かれていくようにしたものである。
【００１４】
表フィルム１は、開封時にその上端部が引っ張られて三角形状食品４から引き離されるフィルムのことであり、必ずしも商品として陳列される包装体の表側に位置するものではなく、三角形状食品４に対する位置関係は図示した態様に限定されない。この実施形態では、表フィルム１が全体を覆う三角形状食品４の１つの面が、三角形状食品４の最長の２辺を左右両側に擁する斜面４ａとなるように構成されているが、他の面としてもよい。
【００１５】
表フィルム１と裏フィルム２は、ともに厚さ３０μｍのＯＰＰ（二軸延伸ポリプロピレン）製で、互いの内面がヒートシール可能かつ、ヒートシールされた状態から容易に剥離可能なイージーオープン性を有するフィルムとしている。フィルムは、勝手に何者かが袋３を開封して異物を混入するようなことを防止するため、シール部分を剥離すると白化等して開封したことが分かるものであることが望ましい。このような条件を満たすフィルムとして、例えば、グンゼ株式会社の易開封性シールフィルムである「ＥＳ１」を使用することができる。
【００１６】
また、表フィルム１と裏フィルム２は、適宜の文字や模様等を印刷したものとすることができる。
【００１７】
表フィルム１と裏フィルム２は、ともに縦方向に長い鋭角二等辺三角形を基本形状とし、その上端部と左右の各端部を切欠してなる六角形としている。ただし、表フィルム１は、裏フィルム２よりも上下方向の寸法が少し短く、袋３の上端部と下端部において、裏フィルム２が露出するようになっている。
【００１８】
袋３は、表フィルム１と裏フィルム２を重ねて熱溶断することにより左右の縁部に溶断シール部６，７を形成するとともに、上端縁の少し下方に表フィルム１と裏フィルム２の互いの内面が接着したヒートシール部５を形成することにより構成されている。
【００１９】
溶断シール部６，７は、表フィルム１の前記上端部と左右の各端部の切欠した箇所の両端間にわたり、ヒートシール部５は、表フィルム１と裏フィルム２の左右両縁間にわたるものとしている。また、ヒートシール部５は、図１において上方に拡大して示したように、複数の山と谷が連続する波型状に形成されたものとしている。
【００２０】
三角形状食品４を収容する前の袋３は、下端部が開口しており、そこから三角形状食品４を収容し、そして下端部の表フィルム１と裏フィルム２を折り曲げて重ね、ラベルやテープ等で止めることにより、三角形状食品包装体が完成する。表フィルム１と裏フィルム２は、図示したように折り目をつけて、三角形状食品４の外形に沿うようにする。
【００２１】
なお、三角形状食品４は、一般に普及している三角形のサンドイッチ、すなわち複数枚のパンの間に野菜、卵、ハム等の食材を挟んで、左右の面が直角三角形となるように切断してなる三角柱状のものとしているが、外形が三角形のサンドイッチ状に形成されたものであれば、米飯等からなるものでもよく、材料や大きさは特に限定されない。
【００２２】
表フィルム１は、三角形状食品４の斜面４ａ（切断面）の全体を覆い、その左右両側部が、それぞれ三角形状食品４の左右の三角形の各面に重なるように折り曲げられ、下端部が三角形状食品４の底面の前側に重なるように折り曲げられる。裏フィルム２は、三角形状食品４の後面の全体を覆い、その左右両側部が、それぞれ三角形状食品４の左右の三角形の各面に重なるように折り曲げられ、下端部が三角形状食品４の底面の後側に重なるように折り曲げられる。
【００２３】
このようにして完成された三角形状食品包装体は、左右の溶断シール部６，７が、それぞれ三角形状食品４の左右の各頂部付近から左右の三角形の面上を通って底面の中央付近に至るように位置している。
【００２４】
ヒートシール部５は、三角形状食品４の頂部の少し上に位置する。袋３のヒートシール部５より上方の上端部は、三角形状食品４の上方に突出し、表フィルム１と裏フィルム２が重なった状態となっている。
【００２５】
この三角形状食品包装体を開封するときは、まず袋３の表フィルム１の上端部１ａを手の指で摘む。袋３の上端部において、表フィルム１と裏フィルム２は重なっているが、それぞれの上端縁は揃っていないので、表フィルム１の上端部１ａを容易に摘むことが可能である。
【００２６】
そして、表フィルム１の上端部１ａを摘んで、表フィルム１を三角形状食品４から引き離すようにして引っ張ると、上端部１ａ付近における左右の溶断シール部６，７が下方に向かって引き裂かれていく。この際、他方の手の指で裏フィルム２の上端部を摘んで支持するとよい。左右の溶断シール部６，７がヒートシール部５の位置まで引き裂かれると、ヒートシール部５における表フィルム１と裏フィルム２が剥離し、続いて残りの溶断シール部６，７が下方に向かって引き裂かれていく。
【００２７】
ヒートシール部５は、前述の通り波型状であり、各山の頂部から部分的に表フィルム１と裏フィルム２が剥離していくので、ヒートシール部５が直線状に形成されている場合よりも小さい力で開封することが可能である。
【００２８】
また、左右の溶断シール部６，７は、上部より下部が拡幅した形状の表フィルム１と裏フィルム２の左右の辺に形成されたものであるため、両溶断シール部６，７の間隔はその上端部が最も狭く、表フィルム１の上端部１ａを摘んで引っ張れば容易に引き裂き始めることができ、そして、そのままスムーズに下方に引き裂いていくことができる。
【００２９】
このようにして左右の溶断シール部６，７を引き裂くと、袋３は、表フィルム１で覆われていた三角形状食品４の斜面４ａの左右の幅より大きく開口し、斜面４ａ全体を露出させることもできるので、三角形状食品４を容易に取り出すことが可能である。
【００３０】
なお、ヒートシール部５は、図４に示したように、幅方向(左右方向）の略中央に頂部が位置する山型状に形成されたものとしてもよい。この場合、ヒートシール部５は単一の山型状であるが、頂部から左右へそれぞれ下方に向かって引き裂かれていくため、比較的小さい力で開封することが可能である。
【００３１】
以上がこの発明の好適な実施形態であるが、この発明は上述の実施形態の構成に限定されるものではなく、素材、形状、寸法等を適宜変更して実施することができる。
【図面の簡単な説明】
【００３２】
【図１】この発明の実施形態の三角形状食品包装体の袋の説明図である。
【図２】この発明の実施形態の三角形状食品包装体の斜視図である。
【図３】この発明の実施形態の三角形状食品包装体を開封する様子を示す斜視図である。
【図４】この発明の他の実施形態の三角形状食品包装体のヒートシール部付近を示す正面図である。
【符号の説明】
【００３３】
１  表フィルム
２  裏フィルム
３  袋
４  三角形状食品
５  ヒートシール部
６，７  溶断シール部
【図１】
2010120652.tif 000003
【図２】
2010120652.tif 000004
【図３】
2010120652.tif 000005
【図４】
2010120652.tif 000006